(57)【特許請求の範囲】
【請求項１】
デジタル放送を受信するデジタル放送受信手段と、
識別カードが挿入されていることを検知する識別カード検知手段と、
前記識別カード検知手段により、識別カードが挿入されていると検知された場合に、前記デジタル放送受信手段により受信されたデジタル放送をデコードし、当該デコードされた映像を表示する映像表示手段と、
を備えた映像表示装置において、
前記映像表示装置が正常に動作するか否かを検査する検査モードを実行する検査モード実行手段を更に備え、
前記検査モード実行手段による検査モードが終了したときに、前記識別カード検知手段により、前記識別カードが挿入されていることが検知された場合には、その旨を報知する識別カード報知手段を備えたことを特徴とする映像表示装置。
【請求項２】
前記識別カードは、Ｂ−ＣＡＳカードであることを特徴とする請求項１に記載の映像表示装置。
【発明の詳細な説明】
【技術分野】
【０００１】
本発明は、デジタル放送を受信するデジタル放送受信手段と、識別カードが挿入されていることを検知する識別カード検知手段と、前記識別カード検知手段により、識別カードが挿入されていると検知された場合に、前記デジタル放送受信手段により受信されたデジタル放送をデコードし、当該デコードされた映像を表示する映像表示手段と、を備えた映像表示装置に関する。
【背景技術】
【０００２】
従来から、デジタル放送を受信し、受信したデジタル放送の映像コンテンツを表示する映像表示装置が知られている。この、デジタル放送を受信し、表示する映像表示装置の場合、著作権保護や、有料番組の課金を行う為に、端末（利用者）を識別する為の識別カードを利用することが一般的である。例えば、識別カードの一例として、Ｂ−ＣＡＳ（登録商標）カードというものが知られている。ユーザは、映像表示装置に、Ｂ−ＣＡＳカードを挿入することにより、著作権保護されたコンテンツ等を視聴することが可能となる（例えば、特許文献１参照）。
【特許文献１】特開２００１−１７７８０７号公報
【発明の開示】
【発明が解決しようとする課題】
【０００３】
映像表示装置が製造されて出荷されるときに、製品として正常に動作するか否かが工場等において検査されるのが一般的である。そのため、通常映像表示装置には、検査モードが備えられており、特殊な操作を行うことにより、検査モードを実行することが可能である。
【０００４】
検査モードにおいては、例えば映像が正しく表示されるか、音声が正しく出力されるか、画面上に色むらが無いか等を検査できるとともに、正しくデジタル放送を受信できるか等の内容も検査することができる。
【０００５】
ここで、検査モードにおいて、デジタル放送を正しく受信できるか否かを検査する場合でもＢ−ＣＡＳカードが必要となるため、検査工程において、Ｂ−ＣＡＳカードを挿入する必要があった。
【０００６】
従って、検査をする作業員は検査モードを実行する前にＢ−ＣＡＳカードを挿入し、検査モード終了後にＢ−ＣＡＳカードを抜く必要があった。しかし、これらの作業は、作業員が手作業で確認する必要があり、検査モード終了後、Ｂ−ＣＡＳカードを抜き忘れてしまうおそれがあった。
【０００７】
ここで、Ｂ−ＣＡＳカードを抜き忘れたとしても、Ｂ−ＣＡＳカードが挿入されている状態は「異常」ではないため、検査モードにおいては正常な製品として判断されてしまい、この場合検査用カードが挿入されたままで出荷されてしまうといった不具合が生じていた。
【０００８】
上述した課題に鑑み、本発明が目的とするところは、テレビの検査過程において、Ｂ−ＣＡＳカードの抜き忘れを防止する映像表示装置を提供することである。
【課題を解決するための手段】
【０００９】
上述した課題を解決するために、第１の発明の映像表示装置は、デジタル放送を受信するデジタル放送受信手段と、識別カードが挿入されていることを検知する識別カード検知手段と、前記識別カード検知手段により、識別カードが挿入されていると検知された場合に、前記デジタル放送受信手段により受信されたデジタル放送をデコードし、当該デコードされた映像を表示する映像表示手段と、を備えた映像表示装置において、前記映像表示装置が正常に動作するか否かを検査する検査モードを実行する検査モード実行手段を更に備え、前記検査モード実行手段による検査モードが終了したときに、前記識別カード検知手段により、前記識別カードが挿入されていることが検知された場合には、その旨を報知する識別カード報知手段を備えたことを特徴とする。
【００１０】
また、第２の発明は、第１の発明の映像表示装置において、前記識別カードは、Ｂ−ＣＡＳカードであることを特徴とする。
【発明の効果】
【００１１】
本発明によれば、検査モードが実行され、当該検査モードが終了したときに、識別カードが挿入されている場合には、その旨が報知されることとなる。したがって、検査モードが終了した際に、識別カードを抜き忘れたとしても、報知により作業員が容易に気がつくことが可能となり、Ｂ−ＣＡＳカードを挿入したまま出荷してしまうといったことを防ぐことが可能となる。
【発明を実施するための最良の形態】
【００１２】
以下、図面を参照して本発明を実施するための最良の形態について説明する。図１は、本発明に係る映像表示装置を適用した場合におけるデジタルテレビ１の構成を説明する為の図である。
【００１３】
［構成］
図１に示すように、デジタルテレビ１には、チューナ部１０と、デコーダ部２０と、映像信号処理部３０と、音声信号処理部３５と、制御部４０と、入力部５０と、Ｂ−ＣＡＳカード制御用Ｉ／Ｆ６０と、Ｂ−ＣＡＳカードスロット６５とを備えており、アンテナＡＮＴが接続されている。
【００１４】
チューナ部１０は、アンテナＡＮＴから受信された受信信号から、各チューナに設定されているチャンネルに対応する周波数の受信信号を選局（抽出）し、各信号が多重化されたトランスポートストリーム（ＴＳ：Ｔｒａｎｓｐｏｒｔ  Ｓｔｒｅａｍ）信号を抽出する。具体的には、受信信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で復調し、ビダビ復号等を用いて誤り訂正を行いＴＳ信号を抽出する。そして、抽出されたＴＳ信号をデコーダ部２０に出力する。
【００１５】
デコーダ部２０は、チューナ部１０から入力されたＴＳ信号から、映像や音声等のＥＳ（Ｅｌｅｍｅｎｔａｒｙ  Ｓｔｒｅａｍ）に分離し、出力する。ここで、分離された映像のＥＳは映像信号処理部３０に、音声のＥＳは音声信号処理部３５へ出力される。また、デコーダ部２０はＴＳ信号に含まれるデータ放送のストリームも抽出し、制御部４０に出力する。
【００１６】
映像信号処理部３０は、デコーダ部２０から入力された映像のＥＳから映像信号を復号し、出力する。出力された映像信号は、接続される表示装置（不図示）に出力され、例えば、液晶表示装置や、ＣＲＴ等に表示されることとなる。
【００１７】
音声信号処理部３５は、デコーダ部２０から入力された音声のＥＳから音声信号を復号し、出力する処理部である。出力された音声信号は、接続される音声出力装置（不図示）に出力される。例えば、スピーカや、イヤホンに出力されることとなる。
【００１８】
制御部４０は、デジタルテレビ１の各動作部及び制御を行う処理装置である。デジタルテレビ１に記憶されている各種プログラムを読み出し、実行することにより各処理を実行する。また、外部からの指示により、デジタルテレビ１の「動作モード」を切り替えることができる。本実施形態において、デジタルテレビ１は、ユーザが通常使用する場合の「通常モード」と、製造工場などで、デジタルテレビ１が正しく動作しているか否かを検査する「検査モード」とを備えている。
【００１９】
検査モードが選択されると、制御部４０は、デジタルテレビ１に記憶されている検査プログラムを実行し、デジタルテレビ１が正しく動作しているか否かを検査する。そして、正しく動作している場合には、検査モードを終了し、異常がある場合にはその旨を報知する。ここで、検査モードを開始する手法としては各種手法が考えられるが、例えば赤外線リモコンにより、検査モードに移行する特殊な赤外線信号をデジタルテレビ１に送信したりする方法や、本体を直接操作する方法などのいずれの方法であっても良い。本実施形態においては、デジタルテレビ１に検査モードを実行する内容の赤外線信号を受信すると、検査モードが実行されることとして説明する。
【００２０】
入力部５０は、外部から入力された信号を制御部４０に出力することにより、デジタルテレビ１を制御するための機能部である。入力部５０の一例としては、例えば、本体に備えられた操作ボタン、赤外線を利用したリモコン又はタッチパネル等のいずれかの方法であっても良い。本実施形態においては赤外線リモコンを用いることとして説明する。
【００２１】
Ｂ−ＣＡＳカード制御用Ｉ／Ｆ６０は、Ｂ−ＣＡＳカードスロット６５と制御部４０とを接続するためのインタフェースである。また、Ｂ−ＣＡＳカードスロット６５に、Ｂ−ＣＡＳカード１００が挿入されているか否かを検出する。
【００２２】
Ｂ−ＣＡＳカードスロット６５は、Ｂ−ＣＡＳカード１００が挿入される機能部であり、挿入されたＢ−ＣＡＳカードに記録された情報がＢ−ＣＡＳカードスロット６５及びＢ−ＣＡＳカード制御用Ｉ／Ｆ６０を介して制御部４０に送られることとなる。
【００２３】
［動作処理の流れ］
続いて、デジタルテレビ１の動作について図２を用いて説明する。まず、制御部４０は、現在デジタルテレビ１が検査モードに入っているか否かを判定する（ステップＳ１０）。ここで、デジタルテレビ１が検査モードに入っていないと判定された場合には（ステップＳ１０；Ｎｏ）、通常動作を実行する（ステップ１２）。
【００２４】
次に、検査モードに入っていると判定された場合には（ステップＳ１０；Ｙｅｓ）、入力部５０においてリモコン信号が受光されるまで待機する（ステップＳ１４）。ここで、リモコン信号が受光されると（ステップＳ１４；Ｙｅｓ）、受光されたリモコン信号をデコードする（ステップＳ１６）。
【００２５】
ここで、デコードされたリモコン信号が、出荷初期化を実行する信号ではない場合は（ステップＳ１８；Ｎｏ）、デコードされたリモコン信号に対応する動作を実行し（ステップＳ２０）、ステップＳ１０から処理を繰り返し実行する。
【００２６】
続いて、デコードされたリモコン信号が、出荷初期化を実行する信号であった場合は（ステップＳ１８；Ｙｅｓ）、出荷初期処理を実行する（ステップＳ２２）。ここで、出荷初期処理とは、例えば、検査モードにおいて一時的に設定されたチャンネル情報の初期化を行ったり、画面表示をクリアしたり、メモリの初期化を行ったりすることにより、デジタルテレビ１を出荷状態にする処理である。
【００２７】
ここで、制御部４０は、Ｂ−ＣＡＳカード制御用Ｉ／Ｆ６０を介してＢ−ＣＡＳカードスロット６５に、Ｂ−ＣＡＳカード１００が挿入されているか否かを判定する（ステップＳ２４）。ここで、Ｂ−ＣＡＳカード１００がＢ−ＣＡＳカードスロット６５に挿入されていることが検知された場合（ステップＳ２４；Ｙｅｓ）、制御部４０は、映像信号処理部３０から表示画面にＢ−ＣＡＳカードが挿入されていることを示す「エラー表示」を表示させる（ステップＳ２６）。ここで、Ｂ−ＣＡＳカード１００が挿入されて続けている間、「エラー表示」は表示画面に表示されることとなる。
【００２８】
また、Ｂ−ＣＡＳカード１００が、Ｂ−ＣＡＳカードスロット６５に挿入されていない場合は（ステップＳ２４；Ｎｏ）、制御部４０は検査モードにおいて当該Ｂ−ＣＡＳカード１００以外のエラーが無かった否かを判定する（ステップＳ２８）。ここで、他のエラーが無い場合には、表示画面に「出荷初期化成功」の表示をし（ステップＳ２８；Ｙｅｓ→Ｓ３０）、エラーが有った場合には、表示画面に当該エラー状態を表示する（ステップＳ２８；Ｎｏ→Ｓ３２）。
【００２９】
図３に、Ｂ−ＣＡＳカード１００が挿入されている場合の図の一例を示す。デジタルテレビ１の表示画面上に、エラー表示がなされることにより、検査員はＢ−ＣＡＳカードが挿入された状態であることを容易に把握することが出来る。
【００３０】
このように、本実施形態によれば、検査モードを終了し、出荷初期処理を実行した際に、Ｂ−ＣＡＳカードが挿入された状態である場合には、報知されることとなる。従って、検査員は、Ｂ−ＣＡＳカードの抜き忘れを容易に把握することができる。
【００３１】
なお、本実施形態において、映像表示装置の一例としてデジタルテレビに適用することとして説明したが、例えば、ハードディスクレコーダや、同等の機能を実現できるコンピュータ等に適用してもよいことは勿論である。
【００３２】
また、識別カードとしてＢ−ＣＡＳカードとして説明したが、同等の機能を有するものであれば他のものでよく、例えばデジタルケーブルテレビにおいて用いられるＣ−ＣＡＳカード等においても適用可能なことは勿論である。
【００３３】
また、Ｂ−ＣＡＳカードが挿入されている場合に、画面に表示して報知することとして説明したが、例えば、警報音や、音声、またそれらの組み合わせで報知することとしても良いことは勿論である。
【図面の簡単な説明】
【００３４】
【図１】デジタルテレビ１の構成について示した図。
【図２】デジタルテレビ１の動作フローについて示した図。
【図３】エラー表示の状態の一例を示した図。
【符号の説明】
【００３５】
１  デジタルテレビ
１０  チューナー部
２０  デコーダ部
３０  映像信号処理部
３５  音声信号処理部
４０  制御部
５０  入力部
６０  Ｂ−ＣＡＳカード制御用Ｉ／Ｆ
６５  Ｂ−ＣＡＳカードスロット
１００  Ｂ−ＣＡＳカード
【図１】
0004693697.tif 000002
【図２】
0004693697.tif 000003
【図３】
0004693697.tif 000004